(57)【要約】【課題】  高さを簡易に調節することができしかも製造コストの低い医療用支柱の吊下げ部材を提供する。【解決手段】  緊締部３３が医療用支柱の外周面を弾性復元力で緊締することによって医療用支柱に対する吊下げ部材３２の移動を防止し、操作部３４の操作によって緊締部３３の弾性復元力に抗してこの緊締部３３による緊締を解除する。このため、吊下げ部材３２の高さの調節前に、緊締部３３の弾性復元力に抗して操作部３４を操作し、吊下げ部材３２の高さの調節後に、操作部３４の操作を解除するだけで、吊下げ部材３２の移動を自動的に防止することができる。また、一本の金属製の線材や一枚の金属製の板材で吊下げ部材３２を製造することができる。【選択図】  図１
2005137549.tif 000002
【特許請求の範囲】
【請求項１】
医療用支柱の外周面を弾性復元力で緊締することによって前記医療用支柱に対する移動を防止するための緊締部と、
前記弾性復元力に抗して前記緊締部による前記緊締を解除するための操作部と
を具備する医療用支柱における吊下げ部材。
【請求項２】
吊下げ状態で前記医療用支柱に支持される被支持体を支持するための支持部を前記操作部が兼ねている請求項１に記載の医療用支柱における吊下げ部材。
【発明の詳細な説明】
【技術分野】
【０００１】
本発明は、医療用支柱に医療具等を吊下げ状態で支持するための医療用支柱における吊下げ部材に関するものである。
【背景技術】
【０００２】
図５が、本発明の従来形態である吊下げ部材が適用されている移動用の医療用支柱を示している（非特許文献１）。この医療用支柱１１では、筒部材１２の上端部からこの筒部材１２内へ棒部材１３の一部が挿入されており、この挿入状態における棒部材１３の位置が高さ固定部材１４によって固定されている。筒部材１２の中間部と棒部材１３の先端部とに夫々吊下げ部材１５、１６が取り付けられており、筒部材１２の中間部には歩行用把手１７も取り付けられている。筒部材１２の下端部に放射状の脚部１８が取り付けられており、この脚部１８の複数の先端部に夫々キャスター２１が取り付けられている。
【非特許文献１】「ムラナカ総合カタログ２００３」村中医療器株式会社  ２００３年
【０００３】
図６に示されている様に、本発明の従来形態である吊下げ部材１５は、筒部材１２が挿入されている合成樹脂製のボス２２と、このボス２２のねじ孔（図示せず）に螺入されて筒部材１２の外周面に達しているねじ（図示せず）を有する合成樹脂製の固定つまみ２３とを有している。一対のねじ２４によって金属製のプレート２５がボス２２に取り付けられており、プレート２５の両端部に一対の金属製のフック２６が取り付けられている。重力の作用を利用するために、下方の吊下げ部材１５には尿バッグ２７等が吊り下げられ、上方の吊下げ部材１６には輸液バッグ（図示せず）等が吊り下げられる。また、棒部材１３にも輸液ポンプ（図示せず）等が直接に取り付けられる。
【０００４】
図５に示されている様に、尿バッグ２７等はその上端部における長孔２８の両端部近傍を夫々一対のフック２６に掛けることによって吊下げ部材１５に吊り下げられ、その際に尿バッグ２７等の下端部は脚部１８上に載置される。尿バッグ２７等の下端部を脚部１８上に載置するのは、患者の歩行に伴って尿バッグ２７等が揺動し、この揺動に伴うモーメントが筒部材１２に作用すると、患者が歩行しにくくなるので、尿バッグ２７等の揺動を防止するためと、尿バッグ２７等のうちで長孔２８の近傍部に加えられる荷重を軽減して、尿バッグ２７等の破損を防止するためとである。
【０００５】
ところが、尿バッグ２７等には種々の寸法があるので、尿バッグ２７等を吊下げ部材１５に吊り下げた状態で尿バッグ２７等の下端部を脚部１８上に載置するためには、尿バッグ２７等の寸法に応じて吊下げ部材１５の高さを調節する必要がある。また、非使用時の輸液バッグのコードを吊下げ部材１５に巻回状態で吊り下げることがあり、この場合にも吊下げ部材１５の高さを調節することがある。更に、患者が病院内の売店で買い物をして買い物袋を吊下げ部材１５に吊り下げたり、女性の患者が病院内を移動する際にハンドバッグを吊下げ部材１５に吊り下げたりすることも実情としてあり、これらの場合にも吊下げ部材１５の高さを調節することがある。
【０００６】
筒部材１２に対する吊下げ部材１５の移動は、固定つまみ２３における上述のねじで筒部材１２の外周面を押圧することによって防止されている。従って、吊下げ部材１５の高さを調節するためには、まず、固定つまみ２３を回転させてねじによる筒部材１２の外周面の押圧を解除する。この解除状態では、筒部材１２に対する吊下げ部材１５の移動が可能である。そして、この解除状態のままでつまり固定つまみ２３の回転角度位置を維持した状態で吊下げ部材１５を所望の高さまで上昇または下降させ、その後に固定つまみ２３を最初の回転とは反対方向へ回転させて固定つまみ２３のねじで筒部材１２の外周面を再び押圧する。
【発明の開示】
【発明が解決しようとする課題】
【０００７】
しかし、図６に示されている本発明の従来形態である吊下げ部材１５では、その高さの調節前に、筒部材１２に対する吊下げ部材１５の移動を可能にするために固定つまみ２３を回転させる必要があり、吊下げ部材１５の高さの調節後に、筒部材１２に対する吊下げ部材１５の移動を防止するためにも固定つまみ２３を最初の回転とは反対方向へ回転させる必要がある。このため、吊下げ部材１５の高さの調節に際して固定つまみ２３を合計で二回操作する必要があり、吊下げ部材１５の高さを簡易に調節することができるとは言い難い。
【０００８】
また、ボス２２、固定つまみ２３、ねじ２４、プレート２５及びフック２６等の多くの部品で吊下げ部材１５が構成されており、しかも、ボス２２及び固定つまみ２３を製造するためには樹脂成形が必要である。このため、吊下げ部材１５の製造コストが高い。従って、本発明は、高さを簡易に調節することができしかも製造コストの低い医療用支柱の吊下げ部材を提供することを目的としている。
【課題を解決するための手段】
【０００９】
請求項１に係る医療用支柱の吊下げ部材では、緊締部が医療用支柱の外周面を弾性復元力で緊締することによって医療用支柱に対する吊下げ部材の移動を防止し、操作部の操作によって緊締部の弾性復元力に抗してこの緊締部による緊締を解除する。このため、吊下げ部材の高さの調節前には、医療用支柱に対する吊下げ部材の移動を可能にするために緊締部の弾性復元力に抗して操作部を操作する必要があるが、吊下げ部材の高さの調節後には、操作部の操作を解除するだけで緊締部の弾性復元力による医療用支柱の外周面の緊締によって医療用支柱に対する吊下げ部材の移動を自動的に防止することができる。つまり、吊下げ部材の高さの調節に際して操作部を合計で一回操作するだけでよい。
【００１０】
また、吊下げ部材は弾性復元力を有する緊締部とこの緊締部に対する操作部とを具備していればよいので、例えば一本の金属製の線材を巻回したり湾曲させたり折り曲げたりするかまたは一枚の金属製の板材を湾曲させることによって吊下げ部材を製造することができる。また、吊下げ部材を製造するために樹脂成形が必要というわけではない。つまり、少ない部品と少ない製造工程とで吊下げ部材を製造することができる。
【００１１】
請求項２に係る医療用支柱の吊下げ部材では、吊下げ状態で医療用支柱に支持される被支持体を支持するための支持部を操作部が兼ねている。このため、支持部を操作部とは別個に設ける必要がなく、吊下げ部材の製造に際して更に少ない材料か更に少ない部品か更に少ない製造工程かの少なくとも何れかを実現することができる。
【発明の効果】
【００１２】
請求項１に係る医療用支柱の吊下げ部材では、吊下げ部材の高さの調節に際して操作部を合計で一回操作するだけでよいので、吊下げ部材の高さを簡易に調節することができる。しかも、少ない部品と少ない製造工程とで吊下げ部材を製造することができるので、吊下げ部材の製造コストが低い。
【００１３】
請求項２に係る医療用支柱の吊下げ部材では、吊下げ部材の製造に際して更に少ない材料か更に少ない部品か更に少ない製造工程かの少なくとも何れかを実現することができるので、吊下げ部材の製造コストが更に低い。
【発明を実施するための最良の形態】
【００１４】
以下、移動用の医療用支柱に適用されている本発明の第一〜第三形態を、図１〜４を参照しながら説明する。図１が本発明の第一形態を示しており、図２がこの第一形態が適用されている医療用支柱を示している。図２に示されている医療用支柱３１も、本発明の従来形態である吊下げ部材１５の代わりに本発明の第一形態である吊下げ部材３２が取り付けられていることを除いて、図５に示されている医療用支柱１１と実質的に同様の構成を有している。
【００１５】
図１に示されている様に、本発明の第一形態である吊下げ部材３２は、ステンレス鋼製の一本の線材の中央部が螺旋状に巻回されることによって形成されている緊締部３３と、前述の線材の両端部が緊締部３３の軸芯方向へ折り曲げられることによって形成されている一対の操作部３４とを有している。図２に示されている様に、操作部３４の先端が吊下げ部材１６側に向く方向で緊締部３３を筒部材１２の外周に嵌め込むことによって、吊下げ部材３２が筒部材１２の中間部に取り付けられている。
【００１６】
吊下げ部材３２の緊締部３３内に筒部材１２が挿入されておらず外力も吊下げ部材３２に印加されていない状態では、緊締部３３の内径は筒部材１２の外径よりも小さい。このため、緊締部３３内に筒部材１２が挿入されている状態では、緊締部３３の内径が拡大されており、緊締部３３には弾性復元力が生じている。この結果、緊締部３３がその弾性復元力によって筒部材１２の外周面を緊締しており、この緊締による摩擦力によって筒部材１２に対する吊下げ部材３２の移動が防止されている。
【００１７】
吊下げ部材３２の高さを調節するためには、まず一対の操作部３４を片手の親指とその他の何本かの指とで挟持し、これらの指で一対の操作部３４に力を印加して、緊締部３３の弾性復元力に抗して一対の操作部３４同士を接近させる。この結果、緊締部３３の内径が更に拡大され、緊締部３３による筒部材１２の外周面に対する緊締が解除される。この解除状態では、筒部材１２に対する吊下げ部材３２の移動が可能である。従って、この解除状態のままでつまり一対の操作部３４同士を接近させたままの状態で、吊下げ部材３２を所望の高さまで上昇または下降させる。
【００１８】
その後、手の指による一対の操作部３４に対する力の印加を解除する。緊締部３３内に筒部材１２が挿入されているだけで緊締部３３には弾性復元力が元々生じているが、一対の操作部３４同士を接近させていればこの弾性復元力が更に強くなっている。従って、手の指による一対の操作部３４に対する力の印加を解除するだけで、緊締部３３の弾性復元力によって緊締部３３の内径が縮小し、筒部材１２の外径と同じ寸法まで内径が縮小した後にも内径を更に縮小しようとする弾性復元力によって緊締部３３が筒部材１２の外周面を緊締して、筒部材１２に対する吊下げ部材３２の移動が自動的に再び防止される。
【００１９】
緊締部３３を筒部材１２の先端からその外周に嵌め込んで吊下げ部材３２を筒部材１２の軸芯方向へ移動させたりその逆の操作を行ったりすることによって筒部材１２に対して吊下げ部材３２を取り付けたり取り外したりする際にも、上述の様に、一対の操作部３４を片手の親指とその他の何本かの指とで挟持し、これらの指で一対の操作部３４に力を印加して、筒部材１２に対する吊下げ部材３２の移動を可能にする。従って、吊下げ部材３２の緊締部３３内に筒部材１２が挿入されておらず外力も吊下げ部材３２に印加されていない状態における一対の操作部３４の間隔は、一対の操作部３４を片手の親指とその他の何本かの指とで挟持することができる間隔に設定されている。
【００２０】
図５に示されている尿バッグ２７等をこの吊下げ部材３２に吊り下げるためには、尿バッグ２７等の上端部における長孔２８の両端部近傍を夫々一対の操作部３４に掛ける。従って、操作部３４が支持部を兼ねている。しかも、操作部３４の先端が吊下げ部材１６側に向いているので、操作部３４に掛けられている尿バッグ２７等が操作部３７から脱落しにくい。一方、上述の様に、緊締部３３がその弾性復元力によって筒部材１２の外周面を緊締しており、この緊締による摩擦力によって筒部材１２に対する吊下げ部材３２の移動が防止されている。
【００２１】
このため、支持部を兼ねている操作部３４が所定の重量までの尿バッグ２７等を支持しても吊下げ部材３２が下降しない弾性復元力を緊締部３３が生じる必要があるが、緊締部３３の弾性復元力が強過ぎると片手の親指とその他の何本かの指とで一対の操作部３４同士を接近させることができない。そこで、適切な弾性復元力を緊締部３３が生じる様に、吊下げ部材３２を形成しているステンレス鋼製の線材の太さや、緊締部３３内に筒部材１２が挿入されておらず外力も吊下げ部材３２に印加されていない状態における緊締部３３の内径と筒部材１２の外径との差や、緊締部３３の軸芯と操作部３４との間隔や、その他の特性が選択されている。
【００２２】
図３が、本発明の第二形態を示している。この第二形態の吊下げ部材３５は、ステンレス鋼製の一本の線材の中央部が２７０°程度かそれよりも大きな角度の円弧状に湾曲され且つ順次に積み重なる様に折り曲げられることによって形成されている緊締部３６と、前述の線材の両端部が緊締部３６の軸芯方向へ折り曲げられることによって形成されている一対の操作部３７とを有している。従って、平面的に見て円弧状である緊締部３６の円弧の両端同士の間には、開放部３８が設けられている。この吊下げ部材３５は、操作部３７の先端が吊下げ部材１６側に向く方向で筒部材１２の中間部に取り付けられる。
【００２３】
吊下げ部材３５の緊締部３６内に筒部材１２が挿入されておらず外力も吊下げ部材３５に印加されていない状態では、平面的に見て円弧状である緊締部３６の内径は筒部材１２の外径よりも小さい。従って、この第二形態の吊下げ部材３５においても、図１、２に示されている第一形態の吊下げ部材３２と同様にして、筒部材１２に対する吊下げ部材３５の移動が防止され、且つ、吊下げ部材３５の高さが調節される。
【００２４】
但し、緊締部３６には開放部３８が設けられているので、筒部材１２に対して吊下げ部材３５を取り付けたり取り外したりする際には、一対の操作部３７を片手の親指とその他の何本かの指とで挟持し、これらの指で一対の操作部３７に力を印加して、開放部３８の幅を筒部材１２の外径よりも広くする。そして、この状態で筒部材１２の直径部を開放部３８で挟む様に吊下げ部材３５を筒部材１２の径方向へ移動させ、開放部３８が筒部材１２の直径部を通過した後に、手の指による一対の操作部３７に対する力の印加を解除する。
【００２５】
従って、この第二形態の吊下げ部材３５では、筒部材１２に対する取り付けや取り外しが、第一形態の吊下げ部材３２よりも簡易である。しかし、この第二形態の吊下げ部材３５でも、例えば開放部３８の幅を筒部材１２の外径よりも広くするまでの力を指で一対の操作部３７に印加することができない操作者の場合には、緊締部３６を筒部材１２の先端からその外周に嵌め込んで吊下げ部材３５を筒部材１２の軸芯方向へ移動させたりその逆の操作を行ったりすることによって、筒部材１２に対して吊下げ部材３５を取り付けたり取り外したりしてもよい。
【００２６】
図４が、本発明の第三形態を示している。この第三形態の吊下げ部材４１は、ステンレス鋼製の一枚の板材の中央部が２７０°程度かそれよりも大きな角度の円弧状に湾曲されることによって形成されている緊締部４２と、前述の板材の両端部が互いに反対方向へ折り曲げられることによって形成されている一対の操作部４３とを有している。従って、平面的に見て円弧状である緊締部４２の円弧の両端同士の間には、開放部４４が設けられている。また、操作部４３には、緊締部４２の軸芯方向へ突出する突出部４５が設けられている。この吊下げ部材４１は、突出部４５が吊下げ部材１６側に向く方向で筒部材１２の中間部に取り付けられる。
【００２７】
吊下げ部材４１の緊締部４２内に筒部材１２が挿入されておらず外力も吊下げ部材４１に印加されていない状態では、平面的に見て円弧状である緊締部４２の内径は筒部材１２の外径よりも小さい。従って、この第三形態の吊下げ部材４１においても、図３に示されている第二形態の吊下げ部材３５と同様にして、筒部材１２に対する吊下げ部材４１の取り付けや取り外しが行われ、筒部材１２に対する吊下げ部材４１の移動が防止され、且つ、吊下げ部材４１の高さが調節される。また、突出部４５が吊下げ部材１６側に向いているので、操作部４３に掛けられている尿バッグ２７等が操作部４３から脱落しにくい。
【００２８】
なお、以上の第一〜第三形態の何れの吊下げ部材３２、３５、４１においても操作部３４、３７、４３が支持部を兼ねているが、必ずしも操作部が支持部を兼ねている必要はなく、操作部とは別の部分に支持部が設けられていてもよい。従って、その場合には、操作部３４、３７の先端が吊下げ部材１６側に向いていたり、吊下げ部材１６側に向く突出部４５が操作部４３に設けられていたりする必要はない。
【００２９】
また、以上の第一〜第三形態の何れの吊下げ部材３２、３５、４１もステンレス鋼で形成されているが、ステンレス鋼以外の材料で吊下げ部材が形成されていてもよい。更に、以上の第一〜第三形態の何れの吊下げ部材３２、３５、４１も移動用の医療用支柱３１に適用されているが、本発明の吊下げ部材は移動用の医療用支柱への適用に限定されず、例えば保育器に取り付けられていて保育器から移動させることのできない医療用支柱等にも本発明の吊下げ部材を適用することができる。
【産業上の利用可能性】
【００３０】
本発明の医療用支柱における吊下げ部材は、医療具等を吊下げ状態で支持するための医療用支柱に適用され、この医療用支柱は、病院等で使用される。
【図面の簡単な説明】
【００３１】
【図１】本発明の第一形態の斜視図である。
【図２】本発明の第一形態が適用されている医療用支柱の斜視図である。
【図３】本発明の第二形態の斜視図である。
【図４】本発明の第三形態の斜視図である。
【図５】本発明の従来形態が適用されている医療用支柱の斜視図である。
【図６】本発明の従来形態の斜視図である。
【符号の説明】
【００３２】
２７    尿バッグ（被支持体）
３１    医療用支柱
３２    吊下げ部材
３３    緊締部
３４    操作部
３５    吊下げ部材
３６    緊締部
３７    操作部
４１    吊下げ部材
４２    緊締部
４３    操作部
【図１】
2005137549.tif 000003
【図２】
2005137549.tif 000004
【図３】
2005137549.tif 000005
【図４】
2005137549.tif 000006
【図５】
2005137549.tif 000007
【図６】
2005137549.tif 000008